(57)【要約】  【課題】着座者が着座する動作や着座状態から起立する動作に対して、背部及び座部が着座者に追従し、着座者を好ましい位置で受け付けることに寄与し得る椅子を提供する。  【解決手段】床面に対して移動可能な椅子であり、この椅子を、着座者を包み込む方向に湾曲する背部及びこの背部に一体的に設けられた座部を備えた椅子本体と、この椅子本体を前記背部及び座部の相対的な角度を変更することなく無負荷時の前傾姿勢から着座時の通常姿勢までの間で動作し得るように支持する支持体とを具備するものとした。【選択図】図１
2015008924.tif 000002
【特許請求の範囲】
【請求項１】
床面に対して移動可能な椅子であって、
着座者を包み込む方向に湾曲する背部及びこの背部に一体的に設けられた座部を備えた椅子本体と、この椅子本体を前記背部及び座部の相対的な角度を変更することなく無負荷時の前傾姿勢から着座時の通常姿勢までの間で動作し得るように支持する支持体とを具備することを特徴とする椅子。
【請求項２】
前記背部が、左右両側部又は左右何れかの側部に前方への突出部を有するように構成したものである請求項１記載の椅子。
【請求項３】
前記椅子本体が、前記背部の曲率の中心を前記座部の中央に立てた仮想垂直線付近に位置させたものである請求項１又は２記載の椅子。
【請求項４】
前記椅子本体が、平面視において座部の後縁よりも背部の前面を前に位置させるように構成し、着座しようとしている着座者に前記座部よりも前記背部が優先的に接触し得るように前記前傾姿勢における前記背部と座部との位置関係を設定したものである請求項１、２又は３記載の椅子。
【請求項５】
前記椅子本体が、前記背部の曲率の中心を前記座部の中央に立てた仮想垂直線付近に位置させたものであり、前記座部を前記仮想垂直線に沿った視線において略円形に形成している請求項１、２、３又は４記載の椅子。
【請求項６】
前記支持体が、支持体本体と、この支持体本体を床面に対して移動可能にするための車輪を有した移動具と、前記支持体本体に対して前記椅子本体を前傾姿勢方向に付勢する付勢部材とを備えたものである請求項１、２、３、４、５又は６記載の椅子。
【請求項７】
前記支持体本体が、前後に延びる対をなすベースと、これらベースから起立した左右の支柱と、これら支柱の上端に設けた座受フレームとを備えたものであり、同一構造をなす他の椅子のベース間に前記対をなすベースの先端側を侵入させてネスティングさせることができるように構成されたものである請求項６記載の椅子。
【請求項８】
前記移動具が、キャスタである請求項６又は７記載の椅子。
【請求項９】
前記付勢部材が、前記支持体本体に支持されて前記座を弾性的に付勢するスプリングである請求項６、７又は８記載の椅子。
【発明の詳細な説明】
【技術分野】
【０００１】
本発明は、講義室や会議室や執務空間等において好適に用いられる椅子に関する。
【背景技術】
【０００２】
従来から、脚の下端にキャスタ等を設けることにより床面に対して移動可能な椅子が知られている（例えば、特許文献１を参照）。この種の椅子では、着座者の任意の操作により、着座者が着座している状態であっても、所望の床位置に容易に移動することが可能である。
【０００３】
ところが、このような椅子は、所望の床位置に移動することはできるものの、着座者が着座する動作や着座状態から起立する動作に対して、背部及び座部が着座者に追従するものとはなっていない。
【０００４】
このため、従来の椅子においては、例えば、着座者が床面に対する移動を伴いつつ、頻繁に着座する動作や着座状態から起立する動作を繰り返すような場合に、着座者を座における好適な着座位置に誘導し難いことがあり、結果として、着座者の臀部や腰部分等を好ましい位置で支持することができないという場合があった。
【先行技術文献】
【特許文献】
【０００５】
【特許文献１】特開２０１１−０６２３８４号公報
【発明の概要】
【発明が解決しようとする課題】
【０００６】
本発明は、以上のような事情に着目してなされたもので、着座者が着座する動作や着座状態から起立する動作に対して、背部及び座部が着座者に追従し、着座者を好ましい位置で受け付けることができる椅子を提供することにある。
【課題を解決するための手段】
【０００７】
すなわち、本発明は、次の構成をなしている。
【０００８】
請求項１に記載の椅子は、床面に対して移動可能な椅子であって、着座者を包み込む方向に湾曲する背部及びこの背部に一体的に設けられた座部を備えた椅子本体と、この椅子本体を前記背部及び座部の相対的な角度を変更することなく無負荷時の前傾姿勢から着座時の通常姿勢までの間で動作し得るように支持する支持体とを具備するものである。
【０００９】
なお、「背部及び座部の相対的な角度を変更することなく」とは、積極的に背部及び座部の相対的な角度を変更しないという意味である。
【００１０】
請求項２に記載の椅子は、請求項１に係る構成において、前記背部が、左右両側部又は左右何れかの側部に前方への突出部を有するように構成したものである。
【００１１】
請求項３に記載の椅子は、請求項１又は２に係る構成において、前記椅子本体が、前記背部の曲率の中心を前記座部の中央に立てた仮想垂直線付近に位置させたものである。
【００１２】
請求項４に記載の椅子は、請求項１、２又は３に係る構成において、前記椅子本体が、平面視において座部の後縁よりも背部の前面を前に位置させるように構成し、着座しようとしている着座者に前記座部よりも前記背部が優先的に接触し得るように前記前傾姿勢における前記背部と座部との位置関係を設定したものである。
【００１３】
請求項５に記載の椅子は、請求項１、２、３又は４に係る構成において、前記椅子本体が、前記背部の曲率の中心を前記座部の中央に立てた仮想垂直線付近に位置させたものであり、前記座部を前記仮想垂直線に沿った視線において略円形に形成しているものである。
【００１４】
請求項６に記載の椅子は、請求項１、２、３、４、５又は６に係る構成において、前記支持体が、支持体本体と、この支持体本体を床面に対して移動可能にするための車輪を有した移動具と、前記支持体本体に対して前記椅子本体を前傾姿勢方向に付勢する付勢部材とを備えたものである。
【００１５】
請求項７に記載の椅子は、請求項６に係る構成において、前記支持体本体が、前後に延びる対をなすベースと、これらベースから起立した左右の支柱と、これら支柱の上端に設けた座受フレームとを備えたものであり、同一構造をなす他の椅子のベース間に前記対をなすベースの先端側を侵入させてネスティングさせることができるように構成されたものである。
【００１６】
請求項８に記載の椅子は、請求項６又は７に係る構成において、前記移動具が、キャスタであるものである。
【００１７】
請求項９に記載の椅子は、請求項６、７又は８に係る構成において、前記付勢部材が、前記支持体本体に支持されて前記座を弾性的に付勢するスプリングであるものである。
【発明の効果】
【００１８】
以上説明したように本発明によれば、着座者が着座する動作や着座状態から起立する動作に対して、背部及び座部が着座者に追従し、着座者を好ましい位置で受け付けることができる椅子を提供することができる。
【図面の簡単な説明】
【００１９】
【図１】本発明の一実施形態を示す側面図。
【図２】同実施形態を示す側面図。
【図３】同実施形態を示す正面図。
【図４】同実施形態を示す背面図。
【図５】同実施形態を示す平面図。
【図６】同実施形態を示す底面図。
【図７】図３におけるＡ−Ａ線断面図。
【図８】図３におけるＢ−Ｂ線断面図。
【図９】ネスティング状態を示す側面図。
【図１０】他の実施形態を示す後方斜視図。
【発明を実施するための形態】
【００２０】
以下、本発明の一実施形態を、図１〜９を参照して説明する。なお、図３〜８は、椅子本体Ｈが着座時の通常姿勢（Ｄ）にある状態のものを示しているが、説明の便宜上、着座者Ｐを図示せずに省略している。
【００２１】
この実施形態は、本発明を、主として講義室や会議室や執務空間等において用いられる椅子Ｃに適用したものである。椅子Ｃは、例えば、着座者Ｐが着座した状態で移動したり、着座者Ｐが頻繁に着座する動作や着座状態から起立する動作を繰り返したりするような学習や研究活動、すなわち、アクティブラーニングとも称される姿勢を変えながら行う学習や研究活動の場において好適に使用されるものである。
【００２２】
椅子Ｃは、床面Ｆに対して移動可能なものであり、着座者Ｐを包み込む方向に湾曲する背部１及び背部１に一体的に設けられた座部２を備えた椅子本体Ｈと、椅子本体Ｈを背部１及び座部２の相対的な角度を変更することなく着座者Ｐが着座していない無負荷時の前傾姿勢（Ｉ）から着座時の通常姿勢（Ｄ）までの間で動作し得るように支持する支持体Ｓとを具備するものである。
【００２３】
椅子本体Ｈは、主として着座者Ｐの背中を支持するための背部１と、主として着座者Ｐの臀部を支持するための座部２とを備えたものであり、これら座部１と背部２との相対的な角度が変わらないように構成している。椅子本体Ｈは、平面視において後方に向けて凸をなすように円弧状に湾曲した背部１を備えたものであり、背部１の曲率の中心ｘを座部２の中央に立てた仮想垂直線ｖ付近に位置させている。椅子本体Ｈは、着座しようとしている着座者Ｐに、座部２よりも背部１が優先的に接触し得るように前傾姿勢（Ｉ）における背部１と座部２との位置関係を設定したものである。以下、各構成について具体的に説明する。
【００２４】
背部１は、左右両側部に前方への突出部たる延出部分１１ｄを有するように構成したものである。背部１は、着座者Ｐの背中を直接的に支持する背本体１１と、この背本体１１を背面側から支持する背フレーム１２とを備えたものである。背本体１１及び背フレーム１２は、それぞれ背面視において略Ｔ字状をなしている。背部１は、突出部である左右両端部が肘当ての機能を兼ね得るように形成されている。
【００２５】
背本体１１は、着座者Ｐの背中を直接的に支持するサポート部１１ａと、サポート部１１ｂの左右方向中間部の下縁から下方に延出し座部２の後端に連続する連絡部１１ｂとを一体に形成したものである。
【００２６】
サポート部１１ａは、正面視において横長楕円形状をなしており、平面視、或いは、平断面視において着座者Ｐを包み込む方向に湾曲している。すなわち、このサポート部１１ａは、平面視において前側を開放させた部分円弧状に湾曲したものであり、その曲率の中心ｘが前述した仮想垂直線ｖの若干後ろに位置するように設定されている。そして、このサポート部１１ａの両端部分が背フレーム１２により支持されている。
【００２７】
サポート部１１ａは、下縁を連絡部１１ｂに連続させた中央部分１１ｃと、この中央部分１１ｃの左右両端から外側方に延出するとともに前方に延出した左右の延出部分１１ｄとを備えている。左右の延出部分１１ｄは、中央部分１１ｃよりも長い幅寸法に設定されている。そして、左右の延出部分１１ｄの上縁ｅが、着座時において着座者Ｐの肘が無理なく当接し得る位置に設定されており、肘当てとして機能し得るようになっている。椅子本体Ｈが前傾位置（Ｉ）にある場合における左右の延出部分１１ｄの上縁ｅは、通常位置（Ｄ）にある場合よりも前傾している。サポート部１１ａの高さ位置及び両端間の距離は、平均的な着座者Ｐの腰や胴体部分を後方から包み込むことが可能であり、且つ、着座者Ｐの肘が当接することが可能な値に設定されている。背部２の上端部すなわちサポート部１１ａの前面は、仮想垂直線ｖに沿った上側からの視線において座部２の後縁付近に位置するように設定されている。連絡部１１ｂは、サポート部１１ａと座本体２１との間に位置する上下方向に延びる板状のものである。連絡部１１ｂの上部は側面視において座部２に対して大きく前傾している。
【００２８】
背フレーム１２は、サポート部１１ａの背面側に配される横支持部分１２ａと、横支持部分１２ａの中央を座部２の下面に支持させた縦支持部分１２ｂとを備えてなるもので、背面視において略Ｔ字状をなしている。横支持部分１２ａと縦支持部分１２ｂとは合成樹脂により一体に形成されている。
【００２９】
横支持部分１２ａは、平面視及び平断面視において着座者Ｐを包み込む方向に湾曲している。横支持部分１２ａの両端部は、サポート部１１ａに沿うようにして前方に延出している。縦支持部分１２ｂは、連絡部１１ｂと同様に座部２に対して大きく前傾している。その結果、サポート部１１ａは、座部２の後縁部よりも前方に位置し、着座者Ｐが着座しようとする時に着座者Ｐの腰部分が接触し易くなっている。換言すれば、サポート部１１ａは、着座者Ｐの腰部分を着座時に触れさせることによって着座位置をガイドし得るものとなっている。背本体１１は、背フレーム１２の２箇所に接続している。具体的には、サポート部１１ａにおける左右の延出部分１１ｄの裏面側の２箇所が、背フレーム１２における横支持部分１２ａの左右両端部の２箇所に接続している。しかして、背本体１１の背面と背フレーム１２の前面との間には隙間が形成されている。
【００３０】
座部２は、仮想垂直線ｖに沿った視線において略円形に形成しているものであり、座本体２１と、座本体２１を下側から支持する座受部材２２とを備えている。
【００３１】
座本体２１は、座部２を平面視及び仮想垂直線ｖに沿った視線において略円形に形成してなるもので、その後縁に背本体１１の連絡部１１ｂが一体に連続させてある。
【００３２】
座受部材２２は、座本体２１を下面側から覆うシェル状のもので中央部下面に支持体Ｓに関わり合う凹陥部２２ａを備えている。座受部材２２の後端部には、背フレーム１２の縦支持部分１２ｂが連設されている。
【００３３】
支持体Ｓは、金属パイプ材を主体に構成した支持体本体３と、この支持体本体３を床面Ｆに対して移動可能にするための車輪を有した移動具であるキャスタ４と、支持体本体３に対して椅子本体Ｈを前傾姿勢（Ｉ）方向に付勢する付勢部材であるスプリング５とを備えたものである。以下、支持体Ｓの各構成について詳述する。
【００３４】
支持体本体３は、前後に延びる対をなすベース３１と、これらベース３１から起立した左右の支柱３２と、左右の支柱３２の上端に設けた左右対をなす座受フレーム３３とを備えたものである。座受フレーム３３は、左右の支柱３２の上端からそれぞれ前方に延びている。座受フレーム３３の前端同士は、前フレーム３４により連結されており、座受フレーム３３の後部同士は、ブロック状の横架部材３５により連結されている。側面視において前傾している左右の支柱３２同士は、後フレーム３６により連結されている。左右のベース３１と左右の支柱３２と左右の座受フレーム３３と前フレーム３４とは、一本のパイプ素材を折り曲げ成形することにより作られており、側面視においてコ字状をなしている。
【００３５】
左右のベース３１は、平面視及び底面視において前方に向かうに連れて相寄る方向に延びている。そして、椅子本体Ｈの座部２は、着座者Ｐが着座していない状態である無負荷時の前傾姿勢（Ｉ）において、床面Ｆに対して前傾している。このため、この実施形態に係る椅子Ｃは、図９に具体的に示すように、同一構造をなす他の椅子Ｃ’のベース３１’間に、対をなすベース３１の先端側を侵入させてネスティングできるように構成されている。（なお、図９では、説明の便宜上、他の椅子の符号に「’」を付している。）
キャスタ４は、車輪を有した既知の構造のものであり、この実施形態では、左右のベース３１の前端部分及び後端部分にそれぞれ適宜の方法で取り付けられている。
【００３６】
スプリング５は、支持体本体３に対して椅子本体Ｈを前傾姿勢（Ｉ）方向に付勢するとともに、無負荷時において椅子本体Ｈを前傾姿勢（Ｉ）に保持する機能を営むものである。この実施形態では、スプリング５は、両端部５１を外部に露出するとともに中央部（図示せず）を前フレーム３４内に収容したトーションバータイプのものである。スプリング５の中央部は、前フレーム３４に一体的に固定されている。そして、このスプリング５の中央部に対してねじり方向に変位可能な両端部５１に、座部２の前部分を固定している。具体的には、座部２における座受部材２２の内部に固設した図示しないブラケットを、スプリング５の両端部５１に剛結している。
【００３７】
以上説明したように、本実施形態に係る椅子Ｃは、床面Ｆに対して移動可能なものであり、着座者Ｐを包み込む方向に湾曲する背部１及びこの背部１に一体的に設けられた座部２を備えた椅子本体Ｈと、椅子本体Ｈを背部１及び座部２の相対的な角度を変更することなく無負荷時の前傾姿勢（Ｉ）から着座時の通常姿勢（Ｄ）までの間で動作し得るように支持する支持体Ｓとを具備している。このため、着座者Ｐが着座する動作や着座状態から起立する動作に対して、背部１及び座部２を一体的に構成した椅子本体Ｈが追従し得るものとなり、着座者Ｐを好ましい位置で受け付けることができるものとなる。
【００３８】
例えば、着座者Ｐが椅子Ｃに着座した状態で床面Ｆに対して移動するとともに、着座する動作や着座状態から起立する動作を頻繁に繰り返すような作業形態や学習形態において本実施形態に係る椅子Ｃは好適である。すなわち、着座者Ｐが着座しようとする際、及び、着座者Ｐが起立しようとする際においても、椅子本体Ｈが着座者Ｐの臀部や腰部に接する位置又は近接した位置に追従するように移動するため、多様な動作を行う着座者Ｐであってもその臀部や腰部を好ましい位置で適切に支持することができるものとなる。
【００３９】
さらに、椅子本体Ｈが着座者Ｐを包み込む方向に湾曲する背部１と座部２とを備え、これらの相対的な角度が変更しないものとなっている。このため、着座時においては背部１が着座者Ｐを好適にホールドするものとなる。また、着座者Ｐが着座しようとする際には、椅子本体Ｈを構成する背部１及び座部２とが協働し、着座者Ｐに座部２の中心付近を視覚的に把握させ易いものとなり、着座位置の誤りを好適に抑制するものとなる。このため、本実施形態の椅子Ｃであれば、着座者Ｐが座部２の中心付近にアプローチし易いものとなるため、例えば、座るポイントを誤って座部２から落下してしまうようなことを好適に抑制するものとなる。
【００４０】
背部１が、左右両側部に前方への突出部を有するように構成したものであるため、背部１の左右両側部が肘当ての機能を兼ね得るものとなり、着座者Ｐにより一層快適な座り心地を提供することができる。例えば、着座者Ｐが、着座する動作や着座状態から起立する動作を行う際には、肘当て機能を有した背部１の左右両端部を利用することができるため、着座及び起立を好適にサポートするものとなる。
【００４１】
椅子本体Ｈが、背部１の曲率の中心ｘを座部２の中央に立てた仮想垂直線ｖ付近に位置させたものであるため、座部２の中心付近を、背部１を形状に基づいて着座者Ｐに導くことができるものとなる。
【００４２】
椅子本体Ｈが、平面視において座部２の後縁よりも背部１の前面を前に位置させるように構成し、着座しようとしている着座者Ｐに座部２よりも背部１が優先的に接触し得るように前傾姿勢（Ｉ）における背部１と座部２との位置関係を設定したものであるため、背部１が着座者Ｐに着座位置を誘導するためのガイドとして機能し得るものとなる。しかも、本実施形態に係るものであれば、背部１が湾曲しているため、着座者Ｐを所定の着座位置に好適に導くことができるものとなる。
【００４３】
椅子本体Ｈが、背部１の曲率の中心ｘを座部２の中央に立てた仮想垂直線ｖ付近に位置させたものであり、座部２を仮想垂直線ｖに沿った視線において略円形に形成しているため、前傾姿勢（Ｉ）にある椅子本体Ｈの背部１と座部２とが協働し、視覚的に着座者Ｐに対して、標的に近似した円形の外観を呈する座部２の中心付近を、着座位置として案内し得るものとなる。
【００４４】
支持体Ｓが、支持体本体３と、支持体本体３を床面Ｆに対して移動可能にするための車輪を有した移動具であるキャスタ４と、支持体本体３に対して椅子本体Ｈを前傾姿勢（Ｉ）方向に付勢する付勢部材であるスプリング５とを備えたものであるため、床面Ｆに対して対して好適に移動し得る椅子Ｃを提供することができるとともに、付勢部材であるスプリング５の付勢力を利用して椅子本体Ｈを前傾姿勢（Ｉ）と通常姿勢（Ｄ）との間で移動可能なものとすることができる。特に、本実施形態では、スプリング５を捻り反発力を利用したトーションバータイプのものとしているため、座受部材２２内に必要な機構を収容することができコンパクトなものとなっている。
【００４５】
支持体本体３が、前後に延びる対をなすベース３１と、ベース３１から起立した左右の支柱３２と、左右の支柱３２の上端に設けた座受フレーム３３とを備えたものであり、同一構造をなす他の椅子Ｃ’のベース３１’間に対をなすベース３１の先端側を侵入させてネスティングできるように構成されたものであるため、不使用時においても、複数の椅子Ｃをコンパクトに収納することができるものとなる。
【００４６】
背本体１１の連結部１１ｂが側面視において座部２に対して大きく前傾しているものであるため、着座者Ｐが着座する位置を座部２の奥方向すなわち座部２の後部方向に導き易いものとなる。
【００４７】
なお、本発明は、以上に詳述した実施形態に限られるものではない。
【００４８】
上述した実施形態では、椅子本体の背部が背本体と背フレームとを備えたものについて説明したが、このようなものに限定されるものでは無く、例えば、背部を１枚のシェル状に形成するようにしても良い。
【００４９】
このようなものとしては、例えば、図１０に示すようなものが考えられる。なお、図１０において、上述した実施形態と同一又は対応する構成については同一の符号を用いて説明することとし、詳細な説明は省略する。また、図１０に示す椅子本体Ｈは、通常姿勢（Ｄ）にあるものを示しており、着座者については図示していない。図１０に示す他の実施形態である椅子Ｃは、椅子本体Ｈを構成する背部１が樹脂により１枚のシェル状に形成されている。背部１は、中央部分１１ｃと延出部分１１ｄとを有したサポート部１１ａと、連絡部１１ｂとを備えている。背部１は、座部２の座本体２１と樹脂により一体に形成されている。座本体２１の上面にはクッションｙが設けられている。当該他の実施形態では、支持体Ｓは、脚支柱６１と脚支柱６１から放射状に延びる脚羽根６２と脚羽根６２の下端に取り付けられるキャスタ４とを備えた支持体本体６と、下端を支持体本体６の脚支柱６１に接続するとともに上端を座部２における座本体２１の前端に接続した取付部７とを備えている。取付部７の上縁部分は椅子本体Ｈを構成する背部１及び座本体２１と合成樹脂により一体に形成されている。そして、取付部７と座本体２１とが接続する屈曲部位を付勢部材５としている。すなわち、当該他の実施形態における付勢部材５は、樹脂の弾性変形を利用して支持体本体６に対して椅子本体Ｈを前傾姿勢方向に付勢するものである。なお、当該他の実施形態では、付勢部材５とは別に、上端を背部１と座部２との境界部分に取り付けるとともに下端を脚支柱６の上端付近に取り付けた補助弾性体であるガススプリングＺを設けており、椅子本体Ｈの前傾姿勢の位置や着座時の弾性反発力等を補助している。このようなものであっても、所期の目的を発揮することができるものとなる。
【００５０】
背部の形状や座部の形状は、本発明の趣旨を逸脱しない限り種々の形状を採用することができるのはもちろんのことである。
【００５１】
上述した実施形態では、支持体にキャスタを設けているものを説明したが、このようなものには限定されず、床面に対して移動可能なものであればよい。例えば、脚の下端を滑らかな曲面状に形成することにより床面に対してスライドし易くしたものなどが考えられる。
【００５２】
背部を構成する背本体や背フレームの形状や、座部を構成する座本体や座受部材の形状も、本実施形態に示されるものに限定されるものではない。例えば、座本体の左右後端部分に着座者の腰部分を包み込むようにサポートするための起立壁を設けるようにしても良い。このようなものであれば、着座者の着座する動作や着座状態から起立する動作に対し、着座者をより一層好適にサポートし得るものとなる。
【００５３】
移動具は、キャスタに限られるものではなく。車輪を有したものであれば、キャスタよりも大きなものであってもよいし、小さなものであっても良い。また、移動具である車輪の方向を身体の傾きを利用して任意の方向に変更するための進行方向変更機構を設けるようにしても良い。
【００５４】
上述した実施形態では、付勢部材として、トーションバータイプのスプリングを適用したものを説明したが、このようなものに限定されるものではない。付勢部材としては、例えば、コイルスプリング、板バネ、ガススプリング等、種々のものが考えられる。
【００５５】
支持体には、着座者の脚裏を添接させて乗せ置くための脚乗せ部を設けるようにしても良い。
【００５６】
支持体には、荷物を載置するための荷台を取り付けるようにしても良い。例えば、左右のベース間に荷台を架設する態様などが考えられる。
【００５７】
椅子には、適宜の方法でメモ台を設けても良い。例えば、座受フレーム間に架設した横架部材にメモ台用の支持フレームの一端を取り付けるようにし、この支持フレームを座部の側部に近い箇所を通過させつつ座部の上方に延出させ、当該支持フレームの他端にメモ台を回動可能に取り付けるようなものが考えられる。
【００５８】
背部の突出部は、必ずしも左右両側部に有している必要は無く、左右何れかの側部に有するものであればよい。換言すれば、背部の左右一方側のみに肘当ての機能を付与するように構成しても良い。
【００５９】
その他、各部の具体的構成についても上記実施形態に限られるものではなく、本発明の趣旨を逸脱しない範囲で種々変形が可能である。
【符号の説明】
【００６０】
１…背部
２…座部
Ｈ…椅子本体
Ｃ…椅子
Ｓ…支持体
（Ｉ）…前傾姿勢
（Ｄ）…通常姿勢
【図１】
2015008924.tif 000003
【図２】
2015008924.tif 000004
【図３】
2015008924.tif 000005
【図４】
2015008924.tif 000006
【図５】
2015008924.tif 000007
【図６】
2015008924.tif 000008
【図７】
2015008924.tif 000009
【図８】
2015008924.tif 000010
【図９】
2015008924.tif 000011
【図１０】
2015008924.tif 000012